(57)【特許請求の範囲】
【請求項１】
下端に尖鋭部を備えた所定長さの金属製棒杭本体の上半部分の中間位置に水平方向に延びる型枠押さえロッドが突設されていることを特徴とするコンクリート型枠用固定具。
【請求項２】
上記押さえロッドは金属棒材をＬ字状に屈曲して形成され、その垂直部において上記棒杭本体に溶接固着されていることを特徴とする請求項１記載のコンクリート型枠用固定具。
【請求項３】
下端に尖鋭部を備えた所定長さの金属製棒杭本体の上半部分の中間位置に水平方向に延びる型枠押さえロッドが突設され、さらにこの型枠押さえロッドの上方に型枠押さえロッドよりも長い補助ロッドが突設されていることを特徴とする請求項１記載のコンクリート型枠用固定具。
【請求項４】
上記押さえロッドおよび補助ロッドは金属棒材を横Ｊ字状に屈曲して形成され、その垂直部において上記棒杭本体に溶接固着されていることを特徴とする請求項３記載のコンクリート型枠用固定具。
【請求項５】
下端に尖鋭部を備えた所定長さの金属製棒杭本体の上半部分の中間位置に水平方向延びる型枠押さえロッドが突設された型枠用固定具と、側面形状がＬ型をなし、その水平部の垂直部側に間隔をおいて上記棒杭本体が挿入可能な孔が設けられた型枠とからなることを特徴とするコンクリート型枠形成装置。
【発明の詳細な説明】
【０００１】
【産業上の利用分野】
本発明は、コンクリート型枠用固定具、詳しくはコンクリート打設時の使用する型枠の位置決めおよび固定をするためのコンクリート型枠用固定具およびコンクリート型枠形成装置に関するものである。
【０００２】
【従来の技術】
従来、土木建築工事などにおいてコンクリートを打設する際、図７に示しているように、土床層２０の上に、栗石や砂利および土砂でもって押し固めて形成した基礎２１のコンクリート打設位置範囲に間隔をおいて木製の杭２２を打ち込み、次にこの杭２２の内側に沿ってバタ材とも呼ばれている型枠２３を立てるとともにこの型枠２３を杭２２に釘打ち２４して固定してコンクリート打設位置範囲を型枠２３で囲み、しかるのち型枠２３内にコンクリートを打設してコンクリート層２５を形成している。
【０００３】
しかしながら上記従来の型枠形成方式は、打設するコンクリートの外方への圧力に耐えることが要求されることから、太い杭と重厚に型枠材を必要とするばかりでなく、太い杭の打ち込みには多大の困難と労力を要し、さらにコンクリート打設後の型枠の除去作業が煩雑であるばかりでなく釘打ちによる損傷が発生することから、杭や型枠の反復利用ができないため著しく不経済である。
【０００４】
このことから上記木製の杭に代えて、例えば実開平４−９９７３５号公報にみられるように、数個の釘打ち孔が設けられた金属棒製のコンクリート型枠用固定具が提案されている。
【０００５】
【発明が解決しようとする課題】
ところが上記したような数個の釘打ち孔が設けられた金属棒製のコンクリート型枠の固定具は、従来の木製の杭と比べて細く高強度であり、杭打ち作業を向上させることができ、また釘抜きも容易となり、繰り返し使用できるという利点を有しているが、従来同様に釘打ち作業をなくすることができない。そのうえ金属棒製の杭は木製の杭に比べて細くて重く、打ち込み時にはある程度の深さまで杭が打ち込まれるまで杭を直接手で支えていなければならない。このため、不慣れな作業員が金属棒製の杭を打ち込むとき、ハンマーが杭の芯からずれるという不手際が生じて杭を支えている手にハンマーが当たり、怪我をする場合がしばしば発生し、杭打ち作業に危険をともなうことになる。そのうえ打ち込んだ杭の抜き取り作業が困難であり、さらに使用する型枠材が板材のように断面が方形板状のものに特定され、軽量で安価なＬ型の合成樹脂製の材料を使用することができないなどの不都合があった。さらにまたコンクリートの打設厚さは略５ｃｍ程度になっているが、型枠の高さによって逐一測定しなければならない不都合があった。
【０００６】
本発明は上記不都合が解消され、杭を安全に打ち込むことができ、釘打ち作業が不要なばかりでなく杭の抜き取り作業が容易となり、さらに型枠として軽量で安価なＬ型の樹脂材や鋼材をも使用することができ、かつ型枠の高さまでコンクリートを打設することで所定厚さのコンクリートが打設できるコンクリート型枠用固定具およびコンクリート型枠形成装置を提供するものである。
【０００７】
【課題を解決するための手段】
本発明は、杭本体を金属棒でもって形成し、その上半部分の中間位置に型枠押さえロッドを突設固定し、さらに望ましくはこの型枠押さえロッドの上方位置に補助ロッドを設けることによって上記課題を解決した。即ち本発明のコンクリート型枠用固定具は、下端に尖鋭部を備えた所定長さの金属製棒杭本体の上半部分の中間位置に水平方向に延びる型枠押さえロッドが突設されてなり、さらに望ましくはこの型枠押さえロッドの上方に型枠押さえロッドよりも長い補助ロッドが突設されていることを特徴としているものである。
【０００８】
またコンクリート型枠形成装置にあっては、下端に尖鋭部を備えた所定長さの金属製棒杭本体の上半部分の中間位置に水平方向延びる型枠押さえロッドが突設された型枠用固定具と、側面形状がＬ型をなし、その水平部の垂直部側に間隔をおいて上記棒杭本体が挿入可能な孔が設けられた型枠とからなることを特徴としているものである。しかも型枠の垂直高さを打設するコンクリートの厚みと一致するように製作しておけばいちいち打設するコンクリートの厚さを測定しながら打設することの手間が省略できる。
【０００９】
【実施の形態】
本発明のコンクリート型枠用固定具１の基本的な実施の形態は、図１に示しているように、下端に尖鋭部３を備えた所定長さの金属製棒杭本体２の上半部分の中間位置に水平方向に延びる型枠押さえロッド４を突設してなり、土床層２０の上に例えば栗石、砂利、土でもって突き固めて形成された基礎２１上に打設されるコンクリート面の両側に、Ｌ型型枠１０の水平部１１の垂直部１２側方向に間隔をおいて孔１３が設けられたＬ型型枠１０をその垂直部１２の内面を内側となして配設し、Ｌ型型枠１０の孔１３に上記棒杭本体２の尖鋭部３を挿入するとともに、ある程度棒杭本体１が沈み込むまで型枠押さえロッド４の部分を手で持ち支えながら棒杭本体２の頭部をハンマーにて打ち込み、最後にＬ型型枠の水平部１１を上記固定具１の押さえロッド４で押さえ込んでＬ型型枠１０を所定の位置に固定し、しかるのちＬ型型枠１０間にコンクリートを打設することによって所定厚さのコンクリート層２５を形成できるようになしている。またＬ型型枠１０の垂直面の高さを予めコンクリート層２５の厚みと一致させておくことにより型枠１０の垂直上端部までコンクリートを打設することで逐一コンクリートの厚みの測定作業を行うことなく打設できる。
【００１０】
本発明のコンクリート型枠用固定具１のさらに好ましい実施の形態においては、図２に示しているように、下端に尖鋭部３を備えた所定長さの金属製棒杭本体２と、その上半部分の中間位置に突設された水平方向に延びる型枠押さえロッド４およびこの型枠押さえロッド４の上方位置にに型枠押さえロッド４よりも長い補助ロッド５が設けられてなる。そしてコンクリート型枠には上記同様図３および図４に示しているように、水平部１１の垂直部１２側方向に間隔をおいて孔１３が設けられたＬ型型枠１０を使用し、このＬ型型枠１０を、土床層２０の上に例えば栗石、砂利、土でもって突き固めて形成された基礎２１上に打設されるコンクリート面の両側にその垂直部１２を内側となして配設し、Ｌ型型枠の孔１３に上記棒杭本体２の尖鋭部３を挿入し補助ロッド５を手で持ち支えながら棒杭本体２の頭部をハンマーにて打ち込み、Ｌ型型枠１０の水平部１１を上記固定具１の押さえロッド４で押さえ込んでＬ型型枠１０を所定の位置に固定し、しかるのちコンクリートを打設することによってＬ型型枠１０間に所定厚さのコンクリート層２５を形成し、コンクリート乾燥後には、固定具１の補助ロッド５を持って抜き取ることによって簡単に固定具１を取り去ることができるようになしている。
【００１１】
固定具１の棒杭本体２には直径が５〜１２ｍｍ程度の軟鋼丸棒を適用するとよく、上記型枠押さえロッド４や補助ロッド５も棒杭本体２と同径の軟鋼丸棒をＬ字状あるいは横Ｊ字状に屈曲して形成し、その垂直部６において上記棒杭本体１に溶接７して棒杭本体２の上半部分の中間位置に突設固着して固定具１を形成するとよい。
【００１２】
棒杭本体１の長さは任意に決定されるものであるが２５ｃｍ〜３５ｃｍ程度が適当である。そして型枠押さえロッド４の突出長さはＬ型型枠１０の水平部１１の横幅寸法とほぼ同じ程度であればよく、また型枠押さえロッド４の上方に位置している補助ロッド５の長さは型枠押さえロッド３の２倍程度、型枠押さえロッド４と補助ロッド５との間隔は３〜６ｃｍ程度にするとよい。
【００１３】
上記した本発明のコンクリート型枠固定具１に適用する型枠１０としては、図５に示しているように、硬質の合成樹脂や鋼やアルミニウムなどの金属製の断面Ｌ字型材料が好ましく、その水平部１１の垂直部１２側の位置に間隔をおいて上記棒杭本体２が挿入可能な孔１３を設けて利用するとよい。図１および図３、図４は硬質合成樹脂製のＬ型型枠１０を固定具１でもって固定した実施形態を示している。また型枠１０の垂直面の高さは一般に約５ｃｍに製作されている。
【００１４】
図１および図３、図４から理解できるように、本発明の固定具１による型枠１０の固定作業には釘打ちを必要としないことから、重厚なコンクリート層の打設用として例えば図７に示しているように、木材でもって所望高さのＬ型型枠１０を形成し、上記と同様に棒杭本体２が挿入可能な孔１３を設けてなる型枠１０も好ましく使用できる。そして使用後は固定具１の補助ロッド５を持って抜き取ることによって型枠１０に損傷を与えることなく簡単に型枠１０を取り除くことができ、型枠１０の繰り返し使用が可能となる。
【００１５】
【実施例】
直径８ｍｍの軟鋼丸棒材を長さ３０ｃｍに切断し、その一端に尖鋭部３を形成して棒杭本体２となした。一方、同じ軟鋼丸棒材を長さ３０ｃｍに切断したのち、型枠押さえロッド４が４ｃｍ、垂直部６が３．５ｃｍ、補助ロッド５が１０ｃｍとなるように横Ｊ字形に屈折し、棒杭本体２の上半部分の中間位置、詳細には棒杭本体１の頂部から約５ｃｍ下方に補助ロッド５が位置するように垂直部６の部分を棒杭本体２に溶接７して固着し、図２に示したような固定具１となした。
【００１６】
他方、水平部１１および垂直部１２の幅寸法がそれぞれ６ｃｍ、長さが２ｍのＬ型硬質樹脂材を準備し、両端部から２５ｃｍの位置とその位置から５０ｃｍの間隔をおいた位置の水平部１１の垂直部１２側方向にそれぞれ上記棒杭本体２が挿入可能な直径１０ｍｍの孔１３を設けて図５に示したようなＬ型型枠１０となした。
【００１７】
そしてこのＬ型型枠１０を、図３および図４に示しているように、土床層２０の上に例えば栗石、砂利、土でもって突き固められて基礎２１が形成され、その基礎２１上に打設されるコンクリート面の両側に上記Ｌ型型枠１０をその垂直部１２を内側となして配設し、Ｌ型型枠の各孔１３に上記棒杭本体２の尖鋭部３を挿入し補助ロッド５の部分を手で持ち支えながら棒杭本体２の頭部をハンマーにて打ち込み、Ｌ型型枠の水平部１１を上記固定具１の押さえロッド４で押さえ込んでＬ型型枠１０を所定の位置に固定したところ、安全にしかも能率よく固定具１の打ち込み作業を行うことができた。
【００１８】
そして固定した型枠１０間に型枠１０の垂直面の上端縁（高さ）までコンクリートを打設してコンクリート層２２を形成し、コンクリートの乾燥後、固定具１の頂部をハンマーにて軽く横叩きしたのち補助ロッド５を握って固定具１を引き抜くと簡単に固定具１を取り去ることができ、能率よく型枠１０の除去作業を行うことができ、また所定の厚さのコンクリート層２５が形成された。
【００１９】
【発明の効果】
このように本発明のコンクリート型枠用固定具１は、下端に尖鋭部３を備えた所定長さの金属製棒杭本体２の上半部分の中間位置に水平方向に延びる型枠押さえロッド４が突設され、さらに望ましくはこの型枠押さえロッド４の上方に型枠押さえロッドよりも長い補助ロッド５が突設されてなるものであるから、型枠固定時における固定具１の打ち込み作業は、型枠押さえロッド４あるいは補助ロッド５を手で持ち支えながら棒杭本体２の頭部をハンマーにて打ち込むことができることから、固定具１の打ち込み作業を安全にしかも能率よく行うことができ、しかも釘打ちすることなくＬ型型枠を固定することができる。
【００２０】
さらに型枠１０のＬ型垂直面の高さを予め決定しておくことによりコンクリート層２５の層厚を逐一測定することなく打設でき作業能率の向上になる。
【００２１】
さらに固定した型枠１０の除去作業においても、請求項３による固定具１においては、固定具１の頂部をハンマーにて軽く横叩きしたのち補助ロッド５の部分を握って引き抜くことによって簡単に固定具１を取り去ることができ、型枠１０の解体も型枠１０に傷をつけることなく能率よく行うことができる。
【００２２】
したがって上記した本発明の固定具１と、側面形状がＬ型をなし、その水平部１１の垂直部１２側に間隔をおいて上記棒杭本体２が挿入可能な孔１３が設けられた型枠とからなるコンクリート型枠形成装置を使用すれば、コンクリート型枠の形成作業時間、労力、コストおよび安全性ともに従来に比べて著しく優位となり、また固定具１はもとよりＬ型型枠１０の繰り返し利用が可能となるなど実用上有益な多大の効果を奏する。
【図面の簡単な説明】
【図１】本発明の型枠固定具とその使用状態を示した一部省略斜視図である。
【図２】本発明の型枠固定具の実施例を示した斜視図である。
【図３】図２の型枠固定具の使用状態を示した一部省略斜視図である。
【図４】図２の型枠固定具の使用状態を示した断面図である。
【図５】Ｌ型型枠の部分斜視図である。
【図６】Ｌ型型枠の他の実施例を示した部分斜視図である。
【図７】従来のコンクリート型枠の固定状態を示した部分断面図である。
【符号の説明】
１．型枠固定具
２．棒杭本体
３．棒杭本体の尖鋭部
４．型枠押さえロッド
５．補助ロッド
６．垂直部
７．溶接
１０．Ｌ型型枠
１１．Ｌ型型枠の水平部
１２．Ｌ型型枠の垂直部
１３．孔
【図１】
0003606964.tif 000002
【図２】
0003606964.tif 000003
【図３】
0003606964.tif 000004
【図４】
0003606964.tif 000005
【図５】
0003606964.tif 000006
【図６】
0003606964.tif 000007
【図７】
0003606964.tif 000008